(57)【要約】【課題】一般曲の再生完了後のボーナストラックを再生すべきタイミングにおいて何らかの事情で再生解除処理を実行させることができないと予想される場合でも当該ボーナストラックの再生の開始をスムーズに行うことが可能な情報再生装置等を提供する。【解決手段】再生前に再生解除処理が実行されることが必要なボーナストラックと、再生解除処理が不要な一般曲と、が記録されているＤＶＤ１００から当該ボーナストラック又は当該一般曲の少なくともいずれか一方を再生するＤＶＤプレーヤＳにおいて、一般曲の再生中又は再生前のいずれかの期間であってＤＶＤ１００のＤＶＤプレーヤＳへの装填後の期間において、外部から入力される解除指令に基づき再生解除処理を行うか否かを確認し、その期間において再生解除処理を行うことが確認されたとき、その解除指令に基づいて再生解除処理を実行し、再生解除処理が実行されたとき以後当該ボーナストラックの再生を実行する。【選択図】      図１
2004310925.tif 000002
【特許請求の範囲】
【請求項１】
再生されるに当たって解除処理が実行されることが必要な特定再生情報と、当該特定再生情報を除く他の再生すべき再生情報と、が記録されている記録媒体から当該特定再生情報又は当該再生情報の少なくともいずれか一方を再生する情報再生装置において、
前記記録媒体の当該情報再生装置への装填後における前記再生情報の再生中又は当該再生前のいずれかの期間において、外部から入力される解除指令に応じて前記解除処理を実行する解除手段と、
前記解除処理が実行されたとき以後、前記特定再生情報の再生を実行する再生手段と、
を備えることを特徴とする情報再生装置。
【請求項２】
請求項１に記載の情報再生装置において、
前記解除指令に基づき前記解除処理を行うか否かを確認する確認手段を更に備え、
前記解除手段は、前記解除処理を行うことが確認されたとき、前記解除指令に応じて当該解除処理を実行することを特徴とする情報再生装置。
【請求項３】
請求項１又は２に記載の情報再生装置において、
前記再生手段は、前記解除処理が実行されたとき、前記再生情報の再生完了後に前記特定再生情報の再生を実行することを特徴とする情報再生装置。
【請求項４】
請求項１又は２に記載の情報再生装置において、
前記再生手段は、前記解除処理が実行されたとき、前記再生情報の再生に連続して前記特定再生情報の再生を実行することを特徴とする情報再生装置。
【請求項５】
請求項１又は２に記載の情報再生装置において、
前記再生手段は、前記解除処理が実行された後直ちに前記特定再生情報の再生を実行することを特徴とする情報再生装置。
【請求項６】
請求項２から５のいずれか一項に記載の情報再生装置において、
前記再生手段は、前記期間において前記解除処理を行うことが確認されないとき、前記特定再生情報の再生を禁止することを特徴とする情報再生装置。
【請求項７】
請求項２から６のいずれか一項に記載の情報再生装置において、
前記解除処理に必要な解除情報が前記記録媒体に記録されていると共に、
当該記録媒体から当該解除情報を検出する検出手段を更に備え、
前記確認手段は、前記検出された解除情報と前記入力される解除指令の内容とを照合して前記解除処理を行うか否かを確認することを特徴とする情報再生装置。
【請求項８】
請求項７に記載の情報再生装置において、
前記確認手段は、前記解除指令を入力するために用いられる指令入力画面を表示すると共に、
前記指令入力画面の表示内容に則って前記解除指令を入力するための入力手段を更に備えることを特徴とする情報再生装置。
【請求項９】
請求項１から８のいずれか一項に記載の情報再生装置において、
前記特定再生情報は、当該特定再生情報に対応した前記解除指令の内容を認識している使用者のみを対象として再生される特定再生情報であることを特徴とする情報再生装置。
【請求項１０】
再生されるに当たって解除処理が実行されることが必要な特定再生情報と、当該特定再生情報を除く他の再生すべき再生情報と、が記録されている記録媒体から当該特定再生情報又は当該再生情報の少なくともいずれか一方を再生する情報再生方法において、
前記再生情報の再生中又は当該再生前のいずれかの期間であって前記記録媒体の当該情報再生装置への装填後の期間において、外部から入力される解除指令に応じて前記解除処理を実行する解除工程と、
前記解除処理が実行されたとき以後、前記特定再生情報の再生を実行する再生工程と、
を備えることを特徴とする情報再生方法。
【請求項１１】
再生されるに当たって解除処理が実行されることが必要な特定再生情報と、当該特定再生情報を除く他の再生すべき再生情報と、が記録されている記録媒体から当該特定再生情報又は当該再生情報の少なくともいずれか一方を再生する情報再生装置に含まれるコンピュータを、
前記再生情報の再生中又は当該再生前のいずれかの期間であって前記記録媒体の当該情報再生装置への装填後の期間において、外部から入力される解除指令に応じて前記解除処理を実行する解除手段、及び、
前記解除処理が実行されたとき以後、前記特定再生情報の再生を実行する再生手段、
として機能させることを特徴とする情報再生用プログラム。
【請求項１２】
請求項１１に記載の情報再生用プログラムが、前記コンピュータにより読取可能に記録されていることを特徴とする情報記録媒体。
【発明の詳細な説明】
【０００１】
【発明の属する技術分野】
本願は、情報再生装置及び情報再生方法並びに情報再生用プログラム及び情報記録媒体の技術分野に属し、より詳細には、再生されるに当たって解除処理が実行されることが必要な特定再生情報と、当該特定再生情報を除く他の再生すべき再生情報と、が記録されている記録媒体から当該特定再生情報又は当該再生情報の少なくともいずれか一方を再生する情報再生装置及び情報再生方法並びに当該情報再生用の情報再生用プログラム及び当該情報再生用プログラムが記録された情報記録媒体の技術分野に属する。
【０００２】
【従来の技術】
近年、従来のＣＤ（Ｃｏｍｐａｃｔ    Ｄｉｓｃ）に対して数倍の記録容量を備えるＤＶＤ（Ｄｉｇｉｔａｌ    Ｖｅｒｓａｔｉｌｅ  Ｄｉｓｃ）が広く一般化しつつある。このＤＶＤには映画一本分の動画像が記録できる他、複数曲の音楽を記録することも可能とされている。そして、主たる再生すべき情報として音楽が記録されていると共にその音楽に対応する歌詞を示す文字情報等をも記録されているＤＶＤは、一般にはＤＶＤオーディオと称されている。
【０００３】
ここで、従来のＤＶＤオーディオの中には、何ら特別な処理を必要とすることなくＤＶＤプレーヤで再生することが可能な曲に加えて、再生解除キー等の特別な情報を入力する再生解除処理が実行されたときに初めて再生することが可能な特別な種類の曲が記録されているものがある。
【０００４】
このとき、当該特別な種類の曲は、一般にはボーナストラックと称されるものであり、具体的には、例えばある歌手の音楽が記録されているＤＶＤオーディオの場合にその歌手のファンクラブに会員として加入している聴取者のみがその再生解除キーを取得しており、その再生解除キーを用いてボーナストラックの再生禁止状態を解除することでそのボーナストラックをその会員のみが聴取できるものである。また、そのＤＶＤオーディオに記録されている音楽に対応する広告用ビデオ（いわゆるプロモーションビデオ）を再生可能とするためにその再生解除キーが用いられる場合もある。
【０００５】
そして、一般のＤＶＤオーディオにおいては、これらボーナストラックは再生順序としては当該ボーナストラック以外の曲の再生が全て完了した後に、上記した再生解除処理を実行することで初めて再生可能とされていた。なお、当該ボーナストラック以外の曲を、以下一般曲と称する。
【０００６】
【発明が解決しようとする課題】
しかしながら、上述した従来のＤＶＤオーディオによると、一般曲の再生が全て完了した後にのみボーナストラック再生のための再生解除処理の実行が可能とされていたため、当該ボーナストラックを再生するためには一般曲の再生が完了した後に改めて必要な再生解除処理を開始・実行させる必要があった。
【０００７】
このことは、特に車載用のＤＶＤプレーヤでＤＶＤオーディオを再生した場合、運転中において一般曲の再生が全て完了したときに一旦停車させて必要な再生解除処理を行う必要があり、例えば、その再生解除処理を実行するタイミング、すなわちボーナストラックを再生すべきタイミングが到来したにも係らず車両を停止させることができずにそのタイミングを逸してしまってボーナストラックを再生することができなかったなど、ＤＶＤプレーヤとしての利便性が不十分であるという問題点があった。
【０００８】
そこで、本願は、上記の問題点に鑑みて為されたもので、その課題の一例は、一般曲の再生が全て完了した後のボーナストラックを再生すべきタイミングにおいて何らかの事情で再生解除処理を実行させることができないと予想される場合でも当該ボーナストラックの再生の開始をスムーズに行うことが可能な情報再生装置及び情報再生方法並びに当該情報再生用の情報再生用プログラム及び当該情報再生用プログラムが記録された情報記録媒体を提供することにある。
【０００９】
【課題を解決するための手段】
上記の課題を解決するために、請求項１に記載の発明は、再生されるに当たって解除処理が実行されることが必要な特定再生情報と、当該特定再生情報を除く他の再生すべき再生情報と、が記録されている記録媒体から当該特定再生情報又は当該再生情報の少なくともいずれか一方を再生する情報再生装置において、前記記録媒体の当該情報再生装置への装填後における前記再生情報の再生中又は当該再生前のいずれかの期間において、外部から入力される解除指令に応じて前記解除処理を実行するシステムコントローラ等の解除手段と、前記解除処理が実行されたとき以後、前記特定再生情報の再生を実行するオーディデコーダ等の再生手段と、を備える。
【００１０】
上記の課題を解決するために、請求項１０に記載の発明は、再生されるに当たって解除処理が実行されることが必要な特定再生情報と、当該特定再生情報を除く他の再生すべき再生情報と、が記録されている記録媒体から当該特定再生情報又は当該再生情報の少なくともいずれか一方を再生する情報再生方法において、前記再生情報の再生中又は当該再生前のいずれかの期間であって前記記録媒体の当該情報再生装置への装填後の期間において、外部から入力される解除指令に応じて前記解除処理を実行する解除工程と、前記解除処理が実行されたとき以後、前記特定再生情報の再生を実行する再生工程と、を備える。
【００１１】
上記の課題を解決するために、請求項１１に記載の発明は、再生されるに当たって解除処理が実行されることが必要な特定再生情報と、当該特定再生情報を除く他の再生すべき再生情報と、が記録されている記録媒体から当該特定再生情報又は当該再生情報の少なくともいずれか一方を再生する情報再生装置に含まれるコンピュータを、前記再生情報の再生中又は当該再生前のいずれかの期間であって前記記録媒体の当該情報再生装置への装填後の期間において、外部から入力される解除指令に応じて前記解除処理を実行する解除手段、及び、前記解除処理が実行されたとき以後、前記特定再生情報の再生を実行する再生手段、として機能させる。
【００１２】
上記の課題を解決するために、請求項１２に記載の発明は、請求項１１に記載の情報再生用プログラムが、前記コンピュータにより読取可能に記録されている。
【００１３】
【発明の実施の形態】
次に、本願に好適な実施の形態について、図面に基づいて説明する。
【００１４】
なお、以下に説明する実施の形態は、上述したＤＶＤオーディオだけでなく、その他の種類のＤＶＤに記録されている情報（音声を伴う動画像情報を含む）をも再生可能なＤＶＤプレーヤに対して本願を適用した場合の実施の形態である。
【００１５】
初めに、実施形態に係るＤＶＤプレーヤの概要構成及び動作について、図１を用いて説明する。なお、図１は、当該ＤＶＤプレーヤの概要構成を示すブロック図である。
【００１６】
図１に示すように、実施形態のＤＶＤプレーヤＳは、検出手段としての光ピックアップ１と、ＲＦ（Ｒａｄｉｏ    Ｆｒｅｑｕｅｎｃｙ）アンプ２と、デジタル信号処理部３と、ＲＡＭ（Ｒａｎｄｏｍ  Ａｃｃｅｓｓ  Ｍｅｍｏｒｙ）４、６、８及び１０と、ストリーム分離部５と、再生手段としてのオーディオデコーダ７と、ビデオデコーダ９と、サブピクチャデコーダ１１と、ビデオプロセッサ１２と、Ｄ／Ａ（Ｄｉｇｉｔａｌ／Ａｎａｌｏｇ）変換部１３と、ビデオエンコーダ１４と、ＯＳＤ（Ｏｎ  Ｓｃｒｅｅｎ  Ｄｉｓｐｌａｙ）画像用ＲＯＭ（Ｒｅａｄ  Ｏｎｌｙ  Ｍｅｍｏｒｙ）１５と、不揮発性の照合結果メモリ１６Ａを含む確認手段及び解除手段としてのシステムコントローラ１６と、操作部１７と、送りモータ１９と、サーボ制御部２０と、スピンドルモータ２１と、により構成されている。
【００１７】
次に、動作を説明する。
【００１８】
ＤＶＤ１００に記録されている情報を再生する場合には、初めに、当該ＤＶＤ１００がＤＶＤプレーヤＳに装填されてスピンドルモータ２１の回転軸に固定されると、当該スピンドルモータ２１は、サーボ制御部２０からの後述する制御信号Ｓｃｐに基づいて当該ＤＶＤ１００を予め設定された回転数で回転させる。
【００１９】
そして、光ピックアップ１は、回転しているＤＶＤ１００に対して予め設定されている一定強度の再生用の光ビームＢを照射し、そのＤＶＤ１００からの反射光を受光して当該反射光の強度変化に対応して変化する検出信号Ｓｐを生成してＲＦアンプ２へ出力する。
【００２０】
このとき、光ビームＢのＤＶＤ１００上における集光位置につき、当該ＤＶＤ１００の情報記録面に垂直な方向の集光位置（すなわち、フォーカス位置）は、サーボ制御部２０からの後述する制御信号Ｓｐｐに基づき、光ピックアップ１内の図示しないフォーカスアクチュエータにより同じく図示しない対物レンズが当該垂直な方向に駆動することにより制御される。
【００２１】
また、当該ＤＶＤ１００の情報記録面に平行な方向の集光位置（すなわち、トラッキング位置）は、上記制御信号Ｓｐｐに基づき、光ピックアップ１内の図示しないトラッキングアクチュエータにより上記対物レンズが当該平行な方向に駆動することにより制御される。
【００２２】
更に、当該トラッキングアクチュエータによるトラッキング位置の制御における制御可能範囲を越えて当該トラッキング位置をＤＶＤ１００の半径方向に移動させる必要があるとき（例えば、いわゆるトラックジャンプを行うとき等）は、光ピックアップ１自体を当該半径方向に移動可能に支持する図示しないキャリッジを移動させる送りモータ１９が、サーボ制御部２０からの後述する制御信号Ｓｃｍに基づいて駆動されることにより、当該キャリッジを移動させて当該トラッキング位置をＤＶＤ１００の半径方向に移動させる。
【００２３】
これらと並行して、ＲＦアンプ２は、上記検出信号Ｓｐを予め設定された増幅率で増幅し増幅信号Ｓａｐを生成してデジタル信号処理部３へ出力すると共に、上述した各種サーボ制御に用いられるエラー信号Ｓｓｃを生成してサーボ制御部２０へ出力する。
【００２４】
これにより、サーボ制御部２０は、システムコントローラ１６からの制御信号Ｓｓｓ及び上記エラー信号Ｓｓｃに基づいて、上述してきた各種サーボ制御のための制御信号Ｓｃｐ、Ｓｐｐ及びＳｃｍを夫々生成し、夫々スピンドルモータ２１、光ピックアップ１及び送りモータ１９に出力する。
【００２５】
次に、デジタル信号処理部３は、システムコントローラ１６との間で制御信号Ｓｃｄの授受を行いつつ上記増幅信号Ｓａｐをデジタル化すると共に、当該デジタル化された増幅信号Ｓａｐに対して予め設定されているフィルタリング処理等のデジタル処理を施し、デジタル増幅信号Ｓｄを生成してストリーム分離部５に出力する。このとき、当該デジタル処理の実行のために必要な情報は、メモリ信号Ｓｒ１としてＲＡＭ４に一時的に記憶され、必要に応じて同様にメモリ信号Ｓｒ１としてＲＡＭ４から読み出されて当該デジタル処理に供される。
【００２６】
そして、ストリーム分離部５は、システムコントローラ１６との間で制御信号Ｓｓｐの授受を行いつつ、デジタル増幅信号Ｓｄから、音声情報、画像情報及び副画像情報を分離し、当該音声情報を音声情報Ｓａとしてオーディオデコーダ７へ出力し、当該画像情報を画像情報Ｓｖとしてビデオデコーダ９へ出力し、更に当該副画像情報を副画像情報Ｓｓｖとしてサブピクチャデコーダ１１へ出力する。
【００２７】
このとき、上記画像情報、音声情報及び副画像情報として具体的には、ＤＶＤ１００が映画が記録されているＤＶＤである場合には、当該画像情報は当該映画に対応する動画像であり、当該音声情報は当該動画像に対応する音声又は効果音等であり、当該副画像情報は当該映画における字幕に相当する。また、ＤＶＤ１００がＤＶＤオーディオである場合には、当該音声情報は歌手の歌声や伴奏等の情報を含む曲であり、当該画像情報は当該曲に対応した動画像であり、当該副画像情報は当該曲に対応する歌詞を示す文字情報である。更に、ＤＶＤ１００がＤＶＤオーディオであって音声情報以外の情報が記録されていないようなＤＶＤオーディオである場合には、上記画像情報Ｓｖ及び副画像情報Ｓｓｖは分離されないこととなる。
【００２８】
次に、オーディオデコーダ７は、上記音声情報Ｓａを復号し、デジタル情報である復号音声情報Ｓｄａを生成してＤ／Ａ変換部１３へ出力する。このとき、当該復号処理の実行のために必要な情報は、メモリ信号Ｓｒ２としてＲＡＭ６に一時的に記憶され、必要に応じて同様にメモリ信号Ｓｒ２としてＲＡＭ６から読み出されて当該復号処理に供される。
【００２９】
そして、Ｄ／Ａ変換部１３は、復号音声情報Ｓｄａをアナログ化し、出力音声情報Ｓｏとして外部のスピーカＳＰへ出力する。
【００３０】
これにより、当該スピーカＳＰにより出力音声情報Ｓｏに対応する音が放音されることとなる。
【００３１】
一方、ビデオデコーダ９は、上記画像情報Ｓｖを復号し、デジタル情報である復号画像情報Ｓｄｖを生成してビデオプロセッサ１２へ出力する。このとき、当該復号処理の実行のために必要な情報は、メモリ信号Ｓｒ３としてＲＡＭ８に一時的に記憶され、必要に応じて同様にメモリ信号Ｓｒ３としてＲＡＭ８から読み出されて当該復号処理に供される。
【００３２】
更に、サブピクチャデコーダ１１は、上記副画像情報Ｓｓｖを復号し、デジタル情報である復号副画像情報Ｓｄｓｖを生成してビデオプロセッサ１２へ出力する。このとき、当該復号処理の実行のために必要な情報は、メモリ信号Ｓｒ４としてＲＡＭ１０に一時的に記憶され、必要に応じて同様にメモリ信号Ｓｒ４としてＲＡＭ１０から読み出されて当該復号処理に供される。
【００３３】
他方、画像表示時に必要な案内画面等の静止画像情報は、当該静止画像情報を形成するための元画像等を予め記憶したＯＳＤ画像用ＲＯＭ１５から必要に応じて読み出され、元画像情報Ｓｏｓｄとしてシステムコントローラ１６へ出力される。そして、システムコントローラ１６は、当該元画像情報Ｓｏｓｄを用いて必要な静止画像情報を形成し、当該形成された静止画像情報を含む静止画像情報Ｓｃｖｄを生成してビデオプロセッサ１２へ出力する。
【００３４】
これらにより、ビデオプロセッサ１２は、復号画像情報Ｓｄｖ、復号副画像情報Ｓｄｓｖ及び静止画像情報Ｓｃｖｄを必要に応じて合成し、表示すべき画像としての表示画像情報Ｓｖｄを生成してビデオエンコーダ１４へ出力する。なお、復号画像情報Ｓｄｖ、復号副画像情報Ｓｄｓｖ及び静止画像情報Ｓｃｖｄの全てが同時に入力される場合だけでなく、これらのうちの少なくともいずれか一つが入力されれば、ビデオプロセッサ１２は当該入力された一又は複数の画像情報を合成して表示画像情報Ｓｖｄとしてビデオエンコーダ１４へ出力する。
【００３５】
そして、ビデオエンコーダ１４は、入力された表示画像情報Ｓｖｄに対して予め設定されている変調処理を施し、当該表示画像情報Ｓｖｄに含まれている画像のフォーマットをモニタＭにおいて表示可能なフォーマットに変換し、変換画像情報Ｓｖｅを生成して当該モニタＭに出力する。これにより、モニタＭは、当該変換画像情報Ｓｖｅに含まれている画像を表示する。
【００３６】
上述してきた動作を制御するために必要な使用者による操作は、遠隔リモコン装置等よりなる操作部１７を用いて実行される。そして、当該操作部１７は、実行された操作の内容を示す操作信号Ｓｏｐを生成してシステムコントローラ１６へ出力する。
【００３７】
そして、システムコントローラ１６は、当該操作信号Ｓｏｐに基づいて上記各構成部材の動作を制御するための各制御信号Ｓｃｄ及びＳｓｐを生成して、夫々デジタル信号処理部３及びストリーム分離５に出力する。
【００３８】
これと並行してシステムコントローラ１６は、上述してきた各種サーボ制御のための制御信号Ｓｃｐ、Ｓｐｐ及びＳｃｍを夫々サーボ制御部２０に生成させて出力させるべく、上記制御信号Ｓｓｓを生成して当該サーボ制御部２０へ出力する。
【００３９】
更に、システムコントローラ１６は、それに含まれている照合結果メモリ１６Ａ並びに上記デジタル信号処理部３、ストリーム分離部４及びサーボ制御部２０を主として制御して後述する実施形態の再生処理を実行する。
【００４０】
次に、上述してきたＤＶＤプレーヤＳにおいて実行される、ＤＶＤ１００がＤＶＤオーディオである場合にそれに記録されている曲を再生する実施形態に係る再生処理について、図１乃至図７を用いて説明する。
【００４１】
なお、図２は実施形態のＤＶＤ１００に記録されている曲の記録態様を例示する模式図であり、図３は実施形態に係る再生処理の全体構成を示すフローチャートであり、図４は当該再生処理の細部を示すフローチャートであり、図５乃至図７は当該再生処理における実際の曲の再生の態様を例示する模式図である。
【００４２】
ここで、以下に説明する実施形態においては、図２に示すように、ＤＶＤオーディオとしてのＤＶＤ１００に、５曲の一般曲（その再生順に一般曲ＴＲ１乃至ＴＲ５とする）と２曲のボーナストラック（その再生順にボーナストラックＴＲ６及びＴＲ７とする）が予め記録されていることを前提として説明するものである。このとき、上記一般曲ＴＲ１乃至ＴＲ５のうち、一般曲ＴＲ１乃至ＴＲ３により一のグループトラックＧ１が形成されており、一般曲ＴＲ４及びＴＲ５により一のグループトラックＧ２が形成されており、更に、ボーナストラックＴＲ６及びＴＲ７によりボーナスグループＧ３が形成されているとする。なお、ここで「グループ」とは、例えば同じ作曲者の作曲に係る曲同士が一のグループを形成したり、或いは、同じ歌手の歌唱に係る曲が一のグループを形成するものである。
【００４３】
そして、上述したボーナスグループＧ３に属しているボーナストラックＴＲ６及びＴＲ７については、上述した再生解除処理、すなわち、ＤＶＤ１００にボーナスグループＧ３が記録されていることに対応して秘匿性を持たせてＤＶＤ１００に予め記録されている照合コード（ＤＶＤ１００に予め記録されている照合コードを、以下ディスク照合コードと称する）と、後述する再生処理において操作部１７から入力された照合コード（当該入力された照合コードを、以下入力照合コードと称する）と、が一致していることが確認された時にボーナスグループＧ３に属しているボーナストラックＴＲ６及びＴＲ７を再生可能とする再生解除処理が実行されて初めて再生されることとなる。
【００４４】
図３に示すように、実施形態に係る再生処理においては、初めに、ＤＶＤプレーヤＳに対してＤＶＤオーディオとしてのＤＶＤ１００（上述したごとく、７曲の曲が予め記録されている）が装填されると（ステップＳ１）、次に、スピンドルモータ２１による当該ＤＶＤ１００の回転が開始される（ステップＳ２）。そして、その後に、当該ＤＶＤ１００に記録されている制御情報としてのコントロールデータ（ＤＶＤ１００にボーナスグループＧ３が記録されているか等を示す属性情報や、現在装填されているＤＶＤ１００を他のＤＶＤから識別するための識別情報が含まれている）が既に過去に読み取られており、システムコントローラ１６内の図示しないメモリ等に記録されているか否かが確認される（ステップＳ３）。
【００４５】
ステップＳ３の判定において、過去に一度でもＤＶＤ１００がＤＶＤプレーヤＳにより再生されたことがあり、既に上記コントロールデータが記録されているときは（ステップＳ３；ＹＥＳ）、そのまま後述するステップＳ９へ移行し、一方、記録されていないときは（ステップＳ３；ＮＯ）、当該ＤＶＤ１００は今回初めてＤＶＤプレーヤＳにおいて再生されるものであると判定し、次に、当該ＤＶＤ１００からそのコントロールデータを読み出す（ステップＳ４）。
【００４６】
そして、当該読み出したコントロールデータの内容に基づいてＤＶＤ１００にボーナスグループＧ３が記録されているか否かを判定し（ステップＳ５）、ボーナスグループＧ３が記録されているときは（ステップＳ５；ＹＥＳ）、後述する再生解除処理における照合結果が一致したものであるか否かを示す情報を記録すべき上記照合結果メモリ１６Ａ内に、当該照合結果が一致していない旨の情報（以下、当該一致していない旨の情報を不一致情報と称する）を格納し（ステップＳ６）、次に、当該ＤＶＤ１００内の予め設定された領域に記録されている上記ディスク照合コードを検出・取得して（ステップＳ８）、一般曲ＴＲ１からその再生を開始する（ステップＳ９）。
【００４７】
一方、ステップＳ５の判定において、ボーナスグループＧ３が記録されていないときは（ステップＳ５；ＮＯ）、上記照合結果メモリ１６Ａ内に照合結果が一致している旨の情報（以下、当該一致した旨の情報を一致情報と称する。この場合は、現在装填されているＤＶＤ１００に記録されている曲は全て一般曲であることを示すこととなる。）を格納し（ステップＳ７）、その後上記ステップＳ９に移行する。
【００４８】
次に、ステップＳ９において一般曲ＴＲ１から再生が開始されると、当該一般曲ＴＲ１自体及びそれに続く一般曲ＴＲ２乃至ＴＲ５の再生を継続しつつ（ステップＳ１１）、それと並行して、再生解除処理を先行的に行う（ステップＳ１０）。なお、後述する如く、当該ステップＳ１０の再生解除処理が一般曲ＴＲ１乃至ＴＲ５のいずれかの再生中に先行的に実行された後には、上記照合結果メモリ１６Ａには、上記一致情報又は不一致情報のいずれか一方が格納されていることとなる。このステップＳ１０の処理の細部については、後ほど図４を用いて詳説する。
【００４９】
一般曲ＴＲ１乃至ＴＲ５の再生処理が実行されている（ステップＳ１１）間においては、これら一般曲ＴＲ１乃至ＴＲ５の再生が完了して光ビームＢの照射位置がボーナスグループＧ３が記録されているＤＶＤ１００上の位置に到達したか否かが常に監視されており（ステップＳ１２）、未だその位置に到達していないときは（ステップＳ１２；ＮＯ）、引き続いて一般曲ＴＲ１乃至ＴＲ５の再生処理及び先行的な再生解除処理を実行すべくステップＳ１０及びＳ１１の処理の直前に戻り、他方、ボーナスグループＧ３が記録されているＤＶＤ１００上の位置に光ビームＢの照射位置が到達したときは（ステップＳ１２；ＹＥＳ）、次に、照合結果メモリ１６Ａに一致情報が記憶されているか否かが確認される（ステップＳ１３）。
【００５０】
そして、当該照合結果メモリ１６Ａに一致情報が記録されているとき、すなわち、ボーナスグループＧ３が元々ＤＶＤ１００に記録されていないか（上記ステップＳ５；ＮＯ及びステップＳ７参照）、又は先行的な再生解除処理（上記ステップＳ１０参照）の実行によりボーナスグループＧ３の再生禁止が解除されているときは（ステップＳ１３；ＹＥＳ）、そのままボーナスグループＧ３に含まれているボーナストラックＴＲ６及びＴＲ７の再生を実行し（ステップＳ１９）、後述のステップＳ２１に移行する。
【００５１】
一方、ステップＳ１３の判定において、当該照合結果メモリ１６Ａに不一致情報が未だ記録されているとき、すなわち、ボーナスグループＧ３は存在しているが  （上記ステップＳ５；ＹＥＳ及びステップＳ６参照）、未だその再生解除処理が実行されていないときは（ステップＳ１３；ＮＯ）、次に、改めて再生解除処理を実行すべく上記入力照合コードの入力を促す旨の照合コード入力画面の表示をモニタＭにより行い（ステップＳ１４）、その後当該入力照合コードの入力処理が操作部１７において実行されるまで待機する（ステップＳ１５）。
【００５２】
そして、当該待機中は、当該入力処理を取り消す旨の操作が操作部１７において実行されたか否かが常に監視されており（ステップＳ１６）、当該取消操作が実行されたとき、又は所定時間経過しても上記入力処理（ステップＳ１５）がなされなかったときは（ステップＳ１６；ＹＥＳ）、ボーナストラックＴＲ６及びＴＲ７の再生処理は行わずに一般曲ＴＲ１に戻ってこれ以後の一般曲ＴＲ２乃至ＴＲ５を再生する処理を開始する（ステップＳ２０）。
【００５３】
その後、再生処理を終了する旨の操作が操作部１７において実行されたか否かが確認され（ステップＳ２１）、実行されていないときはそのまま現在の再生処理を継続すべく上記ステップＳ１０及びＳ１１の処理に戻り、一方、再生終了の操作が実行されたときは（ステップＳ２１；ＹＥＳ）、そのままＤＶＤプレーヤＳとしての再生処理を終了する。
【００５４】
他方、ステップＳ１６の判定において、当該取消操作が実行されず入力照合コードが入力されたときは（ステップＳ１６；ＮＯ）、次に、その入力照合コードの内容と、上記ステップＳ８において取得しておいたディスク照合コードの内容と、を照合し、それらが一致したか否かを確認する（ステップＳ１７）。そして、それらが一致していないときは（ステップＳ１７；ＮＯ）、入力された入力照合コードが再生解除処理に用いられないものであるので、その旨を使用者に告知しつつ再度ステップＳ１５の処理に戻って新たな入力照合コードが入力されるまで待機する。
【００５５】
一方、入力された入力照合コードの内容と、上記ディスク照合コードの内容と、が一致しているときは（ステップＳ１７；ＹＥＳ）、再生解除処理が実行可能であることとなるので、上記照合結果メモリ１６Ａ内に一致情報を格納し（ステップＳ１８）、その後上記ステップＳ１９に移行してボーナスグループＧ３内のボーナストラックＴＲ６及びＴＲ７の再生処理を実行し、その後上記ステップＳ２１に移行する。
【００５６】
次に、上記ステップＳ１０における先行的な再生解除処理の細部について、図４を用いて説明する。
【００５７】
図４に示すように、先行的な再生解除処理においては、初めに、照合結果メモリ１６Ａに一致情報が記憶されているか否かが確認される（ステップＳ２５）。
【００５８】
そして、当該照合結果メモリ１６Ａに一致情報が記録されているとき、すなわち、ボーナスグループＧ３が元々ＤＶＤ１００に記録されていないか（上記ステップＳ５；ＮＯ及びステップＳ７参照）、又は過去に行われた再生解除処理によりボーナスグループＧ３の再生禁止が解除されているときは（ステップＳ２５；ＹＥＳ）、そのまま図３に示すステップＳ１２の処理に移行する。
【００５９】
一方、ステップＳ２５の判定において、当該照合結果メモリ１６Ａに不一致情報が未だ記録されているとき、すなわち、ボーナスグループＧ３は存在しているが（上記ステップＳ５；ＹＥＳ及びステップＳ６参照）、未だその再生解除処理が実行されていないときは（ステップＳ２５；ＮＯ）、次に、当該再生解除処理を行う旨の使用者の操作が操作部１７において実行されたか否かが確認される（ステップＳ２６）。そして、当該操作がないときは（ステップＳ２６；ＮＯ）そのまま図３に示すステップＳ１２の処理に移行し、他方、再生解除処理を行う旨の操作が実行されたときは（ステップＳ２６；ＹＥＳ）、次に、一般曲ＴＲ１乃至ＴＲ５の再生処理を継続しつつ後述する照合コード入力画面の表示をモニタＭにより行い（ステップＳ２７）、その後当該入力照合コードの入力処理が操作部１７において実行されるまで待機する（ステップＳ２８）。
【００６０】
そして、当該待機中は、当該入力処理を取り消す旨の操作が操作部１７において実行されたか否かが常に監視されており（ステップＳ２９）、当該取消操作が実行されたとき、又は所定時間経過しても上記入力処理（ステップＳ２８）がなされなかったときは（ステップＳ２９；ＹＥＳ）、そのまま図３に示すステップＳ１２の処理に移行する。
【００６１】
一方、ステップＳ２９の判定において、当該取消操作が実行されず入力照合コードが入力されたときは（ステップＳ２９；ＮＯ）、次に、その入力照合コードの内容と、上記ディスク照合コードの内容と、を照合し、それらが一致したか否かを確認する（ステップＳ３０）。そして、それらが一致していないときは（ステップＳ３０；ＮＯ）、入力された入力照合コードが再生解除処理に用いられないものであるので、再度ステップＳ２８の処理に戻って新たな入力照合コードが入力されるまで待機する。
【００６２】
一方、入力された入力照合コードの内容と、上記ディスク照合コードの内容と、が一致しているときは（ステップＳ３０；ＹＥＳ）、再生解除処理が実行可能であることとなるので、上記照合結果メモリ１６Ａ内に一致情報を格納し（ステップＳ３１）、図３に示すステップＳ１２の処理に移行する。
【００６３】
次に、上述してきた一連の再生動作に従って一般曲ＴＲ１乃至ＴＲ５及びボーナストラックＴＲ６及びＴＲ７の再生が実行された場合の具体的な再生態様について、図５乃至図７を用いて説明する。
【００６４】
先ず、第一の態様につき、図５を用いて説明する。なお、当該第一の態様は、上述した先行的な再生解除処理が実行されなかった場合の再生態様である。
【００６５】
ボーナストラックＧ３がＤＶＤ１００に記録されており、且つ、上述した先行的な再生解除処理が実行されない場合、すなわち、図４のステップＳ２６における再生解除のための操作が使用者により為されない場合（ステップＳ２６；ＮＯ参照）又は入力照合コードの入力処理が取り消された場合、或は所定時間経過しても上記入力処理（ステップＳ２８）がなされなかった場合（ステップＳ２９；ＹＥＳ参照）には、図５に示すように予め設定されている再生順序に則って一般曲ＴＲ１乃至ＴＲ５が順次再生され、ボーナスグループＧ３が記録されているＤＶＤ１００上の位置に光ビームＢの照射位置が到達したとき（図３ステップＳ１２；ＹＥＳ参照）、入力照合コードを入力するための入力欄ＣＡを含む上述した照合コード入力画面ＩＰがモニタＭ上に表示される（図３ステップＳ１４参照）。このとき、再生状態は一時停止の状態となっている。
【００６６】
そして、入力照合コードが入力され（図３ステップＳ１６；ＮＯ参照）、それがディスク照合コードと一致していれば（図３ステップＳ１７；ＹＥＳ参照）、そのままボーナスグループＧ３内のボーナストラックＴＲ６及びＴＲ７の再生処理に移行して（図３ステップＳ１９参照）、一連の再生処理を完了する。
【００６７】
次に、第二の態様につき、図６を用いて説明する。なお、当該第二の態様は、上述した先行的な再生解除処理が実行されなかった場合であって一般曲ＴＲ１乃至ＴＲ５の再生途中において残りの一般曲の再生を取り消してボーナストラックＴＲ６及びＴＲ７の再生に移行する場合の再生態様である。
【００６８】
ボーナストラックＧ３がＤＶＤ１００に記録されており、且つ、上述した先行的な再生解除処理が実行されない場合には、上記第一の態様の場合と同様に図６に示す如く予め設定されている再生順序に則って一般曲ＴＲ１乃至ＴＲ５が順次再生される。
【００６９】
そして、図６に示すタイミングＴ１において残りの一般曲の再生を取り消してボーナストラックＴＲ６及びＴＲ７の再生に移行する旨の操作が操作部１７において実行されたときは、次に、上記入力欄ＣＡを含む照合コード入力画面ＩＰがモニタＭ上に表示される（図３ステップＳ１４参照）。このとき、再生状態は一時停止の状態となっている。
【００７０】
そして、入力照合コードが入力され（図３ステップＳ１６；ＮＯ参照）、それがディスク照合コードと一致していれば（図３ステップＳ１７；ＹＥＳ参照）、そのままボーナスグループＧ３内のボーナストラックＴＲ６及びＴＲ７の再生処理に移行する（図３ステップＳ１９参照）  、一連の再生処理を完了する。
【００７１】
最後に、第三の態様につき、図７を用いて説明する。なお、当該第三の態様は、上述した先行的な再生解除処理が実行された場合の再生態様である。
【００７２】
ボーナストラックＧ３がＤＶＤ１００に記録されており、且つ、上述した先行的な再生解除処理が実行される場合には、先ず、上記第一の態様の場合と同様に図７に示す如く予め設定されている再生順序に則って一般曲ＴＲ１乃至ＴＲ５が順次再生される。
【００７３】
そして、図７に示すタイミングＴ２において上記先行的な再生解除処理を行う旨の操作が操作部１７において実行されると（図４ステップＳ２６；ＹＥＳ参照）、この操作に基づいて現在再生中の一般曲が表示される再生表示部Ｄ１及び上記再生解除処理が現在実行済みであるか否かを示す確認表示部Ｄ２を含む現状表示画面ＧがモニタＭ上に表示され、当該現状表示画面Ｇ内の確認表示部Ｄ２を選択する旨の操作が操作部１７において実行されると、上記入力欄ＣＡを含む照合コード入力画面ＩＰがモニタＭ上に表示される（図４ステップＳ２７参照）。このとき、いずれかの一般曲の再生が継続されている。
【００７４】
そして、入力照合コードが入力され（図４ステップＳ２９；ＮＯ参照）、それがディスク照合コードと一致していれば（図４ステップＳ３０；ＹＥＳ参照）、そのまま継続して残りの一般曲の再生を行い（図３ステップＳ１２；ＮＯ参照）、それが完了した後に（図３ステップＳ１２；ＹＥＳ参照）ボーナスグループＧ３内のボーナストラックＴＲ６及びＴＲ７の再生処理にそのまま移行して（図３ステップＳ１３；ＹＥＳ及びＳ１９参照）  、一連の再生処理を完了する。
【００７５】
以上説明したように、実施形態のＤＶＤプレーヤＳの処理によれば、一般曲ＴＲ１乃至ＴＲ５の再生中において、外部から入力される入力照合コードに基づき再生解除処理を行うか否かを確認し、当該再生解除処理を行うことが確認されたとき、入力照合コードに基づいて当該再生解除処理を実行し、その再生解除処理が実行されたとき以後、ボーナストラックＴＲ６及びＴＲ７の再生を実行するので、ＤＶＤ１００におけるボーナストラックＴＲ６及びＴＲ７の本来の再生タイミングより前であっても必要な再生解除処理を実行することができ、当該再生タイミングにおいて何らかの事情で再生解除処理を実行させることができないと予想される場合でも、前もってその再生解除処理を実行してボーナストラックＴＲ６及びＴＲ７の再生開始をスムーズに行うことができる。
【００７６】
また、再生解除処理が前もって実行されたとき、一般曲ＴＲ１乃至ＴＲ５の再生完了後にボーナストラックＴＲ６及びＴＲ７の再生を実行する場合には、一般曲ＴＲ１乃至ＴＲ５の再生完了後に改めて再生解除処理を実行することなくボーナストラックＴＲ６及びＴＲ７を再生することができる。
【００７７】
更に、再生解除処理が前もって実行されたとき、一般曲ＴＲ１乃至ＴＲ５の再生に連続してボーナストラックＴＲ６及びＴＲ７の再生を実行する場合には、一般曲ＴＲ１乃至ＴＲ５の再生後に改めて再生解除処理を実行することなく連続してボーナストラックＴＲ６及びＴＲ７を再生することができる。
【００７８】
更にまた、再生解除処理が実行された後直ちにボーナストラックＴＲ６及びＴＲ７の再生に移行する場合には、当該ボーナストラックＴＲ６及びＴＲ７を直ちに再生したい場合に迅速にこれに応じることができる。
【００７９】
また、一般曲ＴＲ１乃至ＴＲ５の再生中に再生解除処理を行うことが確認されないとき、ボーナストラックＴＲ６及びＴＲ７の再生を禁止するので、ボーナストラックＴＲ６及びＴＲ７としての本来の秘匿性を確保しつつ当該ボーナストラックＴＲ６及びＴＲ７の再生に関する利便性を向上させることができる。
【００８０】
更に、ＤＶＤ１００から検出されたディスク照合コードの内容と入力される入力照合コードの内容とを照合して再生解除処理を行うか否かを確認するので、確実に再生解除処理の実行の有無を確認してボーナストラックＴＲ６及びＴＲ７の秘匿性を確保することができる。
【００８１】
更にまた、照合コード入力画面ＩＰを表示し、その表示内容に則って入力照合コードを入力することができるので、簡易且つ視認可能な方法で入力照合コードを入力して再生解除処理を実行することができる。
【００８２】
また、ボーナストラックＴＲ６及びＴＲ７が、当該ボーナストラックＴＲ６及びＴＲ７に対応した入力照合コードの内容を認識しているファンクラブ会員等の使用者のみを対象として再生されるボーナストラックＴＲ６及びＴＲ７であるので、ボーナストラックＴＲ６及びＴＲ７の再生の利便性が向上していることと合間って当該ＤＶＤ１００の販売数向上等を図ることができる。
【００８３】
なお、上述した実施形態においては、一般曲ＴＲ１乃至ＴＲ５の再生開始後（図３ステップＳ９参照）に先行的な再生解除処理を実行する場合について説明したが、これ以外に、当該再生解除処理をディスク照合コードの取得後（図３ステップＳ８参照）であって一般曲ＴＲ１乃至ＴＲ５の再生開始前に実行するように構成することもできる。この場合でも、上述した如き顕著な効果を奏することができる。
【００８４】
更に、上述した実施形態では、ＤＶＤ１００にボーナストラックＴＲ６及びＴＲ７を含む音楽が記録されている場合について説明したが、これ以外に、例えば従来のＣＤやハードディスクにボーナストラックを含む音楽が記録されている場合に本願を適用することも可能である。
【００８５】
更にまた、上述した実施形態では、ボーナストラックについての再生解除処理を行うか否か自体を確認した後に必要な再生解除処理を実行する場合について説明したが、これ以外に、再生解除処理の実行の可否について確認することなく、事前に必要な再生解除処理を実行する構成とすることもできる。
【００８６】
また、図３及び図４に示すフローチャートに対応するプログラムをフレキシブルディスク、ハードディスク又は半導体メモリ等の情報記録媒体に記録しておき、或いは、インターネット等のネットワークを介して取得して記録しておき、これらを汎用のマイクロコンピュータで読み出して実行することにより、当該マイクロコンピュータを実施形態に係るシステムコントローラ１６として機能させることも可能である。
【図面の簡単な説明】
【図１】実施形態の情報再生装置の概要構成を示すブロック図である。
【図２】実施形態の音楽の記録態様を例示する模式図である。
【図３】実施形態の再生処理を示すフローチャートである。
【図４】実施形態の先行解除待受け処理を示すフローチャートである。
【図５】実施形態の音楽の再生における第一の態様を例示する模式図である。
【図６】実施形態の音楽の再生における第二の態様を例示する模式図である。
【図７】実施形態の音楽の再生における第三の態様を例示する模式図である。
【符号の説明】
１…光ピックアップ
２…ＲＦアンプ
３…デジタル信号処理部
４、６、８、１０…ＲＡＭ
５…ストリーム分離部
７…オーディオデコーダ
９…ビデオデコーダ
１１…サブピクチャデコーダ
１２…ビデオプロセッサ
１３…Ｄ／Ａ変換部
１４…ビデオエンコーダ
１５…ＯＳＤ画像用ＲＯＭ
１６…システムコントローラ
１６Ａ…照合結果メモリ
１７…操作部
１９…送りモータ
２０…サーボ制御部
２１…スピンドルモータ
Ｓ…ＤＶＤプレーヤ
ＳＰ…スピーカ
Ｍ…モニタ
ＴＲ１、ＴＲ２、ＴＲ３、ＴＲ４、ＴＲ５…一般曲
ＴＲ６、ＴＲ７…ボーナストラック
Ｇ１、Ｇ２…グループトラック
Ｇ３…ボーナスグループ
ＩＰ…照合コード入力画面
【図１】
2004310925.tif 000003
【図２】
2004310925.tif 000004
【図３】
2004310925.tif 000005
【図４】
2004310925.tif 000006
【図５】
2004310925.tif 000007
【図６】
2004310925.tif 000008
【図７】
2004310925.tif 000009
【手続補正書】
【提出日】平成15年4月22日(2003.4.22)
【手続補正１】
【補正対象書類名】明細書
【補正対象項目名】０００５
【補正方法】変更
【補正の内容】
【０００５】
そして、一般のＤＶＤオーディオにおいては、これらボーナストラックは、当該ボーナストラック以外の曲が記録されている領域よりディスク外周側の領域に記録されている。また、ＤＶＤオーディオを再生する場合では、再生位置がボーナストラックの先頭の記録位置になったときに初めて再生解除処理を行うための情報が聴取者に提供されるようになっている。このことから、一般のＤＶＤオーディオにおいては、これらボーナストラックは再生順序として当該ボーナストラック以外の曲のうち最後の曲の再生が完了した後に、上記した解除処理を実行することで初めて再生可能とされていた。なお、当該ボーナストラック以外の曲を、以下一般曲と称する。


【手続補正２】
【補正対象書類名】明細書
【補正対象項目名】０００６
【補正方法】変更
【補正の内容】
【０００６】
【課題を解決しようとする課題】
しかしながら、上述した従来のＤＶＤオーディオによると、一般曲の最後の曲の再生が完了した後にのみボーナストラック再生のための再生解除処理の実行が可能とされていたため、再生順序として一般曲の１曲目から順に再生を行った場合最後の曲の再生が完了した後、つまり、一般曲の再生が全て完了した後に改めて必要な再生解除処理を開始・実行させる必要があった。